(57)【要約】【課題】  手首，腕，肩，首筋の疲労を充分に軽減する。【解決手段】  手首，腕が載せられるレスト台１と、レスト台１の下面に取付けられレスト台１を支えて卓上を転動するボール２とを備えている。レスト台１の上面には、載せられる手首，腕を定位置に位置決めする凹部３が設けられている。ボール２は、少なくとも２個が配置されて中心を通る直線Ｘが凹部３の長さ方向と非平行になるように設定されている。【選択図】      図１
2006099212.tif 000002
【特許請求の範囲】
【請求項１】
手首や腕が載せられるレスト台と、該レスト台の下面に取付けられて、当該レスト台を支えて卓上等を転動するボールとを備えてなるレスト器具において、
レスト台の上面に手首や腕の載置位置を規定する凹部を形成すると共に、レスト台の下面で、凹部の長さ方向と直交する方向に２のボールを設けたことを特徴とするレスト器具。
【請求項２】
前記レスト台の上面であって、前記凹部の左右いずれか一方の端部近傍に支持片を立設されて、前記腕補助部材が回動自在に当該支持片に支持されていることを特徴とする請求項１記載のレスト器具。
【請求項３】
前記腕補助部材を前記支持片に回動自在に支持する際に、当該回動を抑制する回動抑制部材を介して支持したことを特徴とする請求項２記載のレスト器具。
【発明の詳細な説明】
【技術分野】
【０００１】
本発明は、コンピュータのキーボード入力等を行う際に、卓上に置いて手首や腕を支持することによりキー入力等が容易に行えるようにするレスト器具に関する。
【背景技術】
【０００２】
最近、パーソナルコンピュータの操作等のように卓上に手首，腕等を載せて長時間の作業を強いられることが多くなってきている。このため、手首，腕やこれに接続している肩，首筋の疲労を抑えるため、卓上に手首，腕等を載せるレスト器具を置くことが行われるようになってきている。
【０００３】
このようなレスト器具としては、手首，腕が載せられるレスト台と、レスト台の下面に取付けられレスト台を支えて卓上を転動するボールとを備えて、ボールの転動によって手首，腕が載せられたレスト台を卓上の３６０度の任意の方向へ円滑に移動させ、各種の作業における作業機器と手指との距離を作業者の好みに調整することで、手首，腕，肩，首筋の疲労を抑える構成が提案されている（特許文献１参照）。
【特許文献１】特開２００２−３４１９９６号公報
【発明の開示】
【発明が解決しようとする課題】
【０００４】
しかしながら、上記構成では、各種の作業における作業機器に対して手指が特定の関節を支点として上下動されるが、作業機器と手指との距離が作業者の好みに調整されたとしても、基本的に手指の上下動の運動量に変化をもたらすものでないため、手首，腕，肩，首筋の疲労を充分に抑えることができない問題点があった。
【０００５】
そこで、本発明は、かかる問題点を考慮してなされたもので、手首，腕，肩，首筋の疲労を充分に抑制することができるようにしたレスト器具を提供することを目的とする。
【課題を解決するための手段】
【０００６】
前述の課題を解決するため、本発明に係るレスト器具は、特許請求の範囲の各請求項に記載の手段を採用する。
【０００７】
即ち、請求項１では、手首や腕が載せられるレスト台と、該レスト台の下面に取付けられて、当該レスト台を支えて卓上等を転動するボールとを備えてなるレスト器具において、レスト台の上面に手首や腕の載置位置を規定する凹部を形成すると共に、レスト台の下面で、凹部の長さ方向と直交する方向に２のボールを設けたことを特徴とする。
【０００８】
これによりボールを支点としてレスト台を前後に傾斜させることが可能になり、手指の動きに応じて手首や腕等が動き得て局部的な疲労を抑制することができるようになる。
【０００９】
また、請求項２では、前記レスト台の上面であって、前記凹部の左右いずれか一方の端部近傍に支持片を立設されて、前記腕補助部材が回動自在に当該支持片に支持されていることを特徴とする。
【００１０】
これにより、左右いずれの手首や腕に対しても、腕補助部材を反転させて利用可能になるため、左右の区別を行うことなく製造することが可能になり、利便性が向上すると共にコストダウンが可能になる。
【００１１】
また、請求項３では、前記腕補助部材を前記支持片に回動自在に支持する際に、当該回動を抑制する回動抑制部材を介して支持したことを特徴とする。
【００１２】
これにより、腕補助部材のがたつきがなくなり、この腕補助部材が回動できる構成を保ちながら、手首や腕をしっかりと支持することができるようになる。
【発明の効果】
【００１３】
本発明に係るレスト器具は、ボールを支点としてレスト台を傾斜させることで手指の卓上からの高さを調整することができ、作業機器に対する手指の上下動の運動量を調整することができるため、手首，腕，肩，首筋の疲労を充分に軽減することができる効果がある。
【００１４】
また、凹部，腕補助部材による２点で手首，腕が支持されるため、レスト台における手首，腕の姿勢が安定化される効果がある。
【００１５】
さらに、腕補助部材を変位させることで腕の左右両側での使用が可能になるため、左右兼用具として製造コストが安価になる効果がある。
【発明を実施するための最良の形態】
【００１６】
以下、本発明に係るレスト器具を実施するための最良の形態を図面に基づいて説明する。図１〜図６は、本発明に係るレスト器具を実施するための最良の形態の第１例を示すものである。
【００１７】
レスト器具は、図１に示すように、レスト台１，ボール２，凹部３で構成されている。レスト台１は、上面に手首，腕Ａが載せられるもので、肌接触性の良好な合成樹脂材で平面長孔形の板体に成形されてなる。
【００１８】
ボール２は、レスト台１を支えて卓上Ｔを転動するもので、取付座２１に球形のボール本体２２が組込まれてユニット化され、取付座２１がネジ４でレスト台１の下面に取付けられている（図２参照）。このボール２は、レスト台１の長さ方向の両端部寄りに１台ずつ配置され、２個のホール本体２２の中心を通る直線Ｘがレスト台１の長さ方向に一致している。
【００１９】
凹部３は、レスト台１に載せられた手首，腕Ａを定位置に位置決めするもので、レスト台１の中央部付近に長さ方向の中心に向けて深くなる円弧形に堀込み形成されている。この凹部３の長さ方向を通る直線Ｙは、ボール２の２個のホール本体２２の中心を通る直線Ｘと直交している。なお、手首，腕Ａは、長さ方向が直線Ｙに沿うようにして凹部３に位置決めされる。
【００２０】
第１例によると、特許文献１に係るレスト器具と同様に、ボール２のホール本体２２の転動によって手首，腕Ａが載せられたレスト台１を卓Ｔ上の３６０度の任意の方向へ円滑に移動させ、各種の作業における作業機器Ｋと手指Ｆとの距離を作業者の好みに調整することで、手首，腕Ａや肩，首筋の疲労を軽減することができる（図３参照）。このとき、レスト台１に載せられた手首，腕Ａが凹部３に嵌合されているため、レスト台１の移動の際に、手首，腕Ａが不測に脱落することはない。
【００２１】
さらに、第２例によると、前述の直線Ｘを中心としてレスト台１を傾倒させることができる（図４参照）。なお、図４において、点線は傾倒したレスト台を示し、その先端の位置の高さｈは原則「０」まで可能である。この結果、図５に示すように、手指Ｆが母指からなる場合に上下動の支点となるＣＭ関節（手根中手骨関節）ａの卓Ｔ上の高さを調整することができ、手指Ｆの作業機器Ｋ（例えば、パーソナルコンピュータのキィー）に対する上下動の運動量（上下距離）ｂを調整することができる。
【００２２】
また、図６に示すように、手指Ｆが母指以外の指からなる場合に上下動の支点となるＭＣＰ関節（中手指節関節）ｃの卓Ｔ上の高さを調整することができ、手指Ｆの作業機器Ｋ（例えば、パーソナルコンピュータのキィー）に対する上下動の運動量（上下距離）ｄを調整することができる。
【００２３】
これらの運動量ｂ，ｄの調整については、各種作業のリズムに対応して作業者の好みで拡縮の双方が可能である。即ち、手指Ｆの上下動の運動量に変化がもたらされるため、手首，腕Ａや肩，首筋の疲労を充分に軽減することができることになる。
【００２４】
図７は、本発明に係るレスト器具を実施するための最良の形態の第２例を示すものである。第２例では、第１例における直線Ｘ，Ｙを直交させず交差角度を少し小さくしてある。
【００２５】
第２例によると、直線Ｘを中心としてレスト台１を傾倒させた際に、ＣＭ関節ａ，ＭＣＰ関節ｃの卓Ｔ上の高さの調整量を第１例よりも小さくすることができる。この結果、レスト台１を傾倒させての調整量の微調整が容易になるとともに、予想外の調整量の出現による作業機器Ｋの誤操作の防止にも役立つ。
【００２６】
図８は、本発明に係るレスト器具を実施するための最良の形態の第３例を示すものである。第３例では、凹部３に手首，腕Ａが載せられた際にレスト台１から少し離れた位置で腕Ａに当接する腕補助部材４がレスト台１に取付けられている。
【００２７】
腕補助部材４は、レスト台１の上面に起立された支持片４１と、支持片４１に回動可能に支持された回動片４２と、回動片４２の先端部に回動可能に支持され手首，腕Ａに当接される当接片４３と、支持片４１，回動片４２の間に介装され支持片４１，回動片４２を弾圧する板バネ４４とからなる。
【００２８】
第３例によると、凹部３，腕補助部材４の当接片４３による２点で手首，腕Ａが支持されるため、レスト台１における手首，腕Ａの姿勢が安定化される。従って、作業機器Ｋの操作を正確に行うことができるとともに、手首，腕Ａに多少の障害のある場合でも有効に使用することができる。
また、支持片４１，回動片４２，当接片４３の回動構造から、支え位置を微妙に調整することができる。従って、大人，子供等の体の大きさにかかわらず使用することができる。
【００２９】
さらに、第３例によると、支持片４１を中心としてレスト台１を介した反対側へ回動片４２，当接片４３を変位させることができ、腕Ａの左右両側での使用が可能になる。従って、左右兼用具として製造コストが安価になる。
【００３０】
以上、図示した各例の外に、直線Ｘに沿ってボール２を３個以上設けることも可能である。さらに、凹部３を直線Ｙの角度を異ならせて複数個設けることも可能である。
【産業上の利用可能性】
【００３１】
本発明に係るレスト器具は、各種作業の全般に適用が可能である。
【図面の簡単な説明】
【００３２】
【図１】本発明に係るレスト器具を実施するための最良の形態の第１例の斜視図である。
【図２】図１の縦断面図である。
【図３】図２の平面図である。
【図４】図３の縦断面図である。
【図５】作業機器に対する母指の動作原理を示す図である。
【図６】作業機器に対する母指以外の指の動作原理を示す図である。
【図７】本発明に係るレスト器具を実施するための最良の形態の第２例の平面図である。
【図８】本発明に係るレスト器具を実施するための最良の形態の第３例の斜視図である。
【符号の説明】
【００３３】
１      レスト台
２      ボール
３      凹部
４      腕補助部材
４１    支持片
Ｘ，Ｙ  直線
【図１】
2006099212.tif 000003
【図２】
2006099212.tif 000004
【図３】
2006099212.tif 000005
【図４】
2006099212.tif 000006
【図５】
2006099212.tif 000007
【図６】
2006099212.tif 000008
【図７】
2006099212.tif 000009
【図８】
2006099212.tif 000010